(57)【要約】【課題】本発明は、用紙残余量の指示機能を有するプリンタを提供することを目的とする。【解決手段】本発明に係る用紙残余量の指示機能を有するプリンタは、ケース、用紙収納箱、用紙量測定機構及び指示機構を備える。用紙量測定機構は、ケースに回転可能に連結され、且つその一端がプリント用紙の上面に当接され、その他端が指示機構の一端に固定連結され、指示機構の他端は、用紙収納箱の外表面から露出される。用紙量測定機構の一端が回転した時、その回転によって、用紙量測定機構の他端及び指示機構が連動されて、用紙収納箱の外表面に露出された指示機構の他端に位置変化が発生する。この位置の変化に基づいて、用紙収納箱内のプリント用紙の大体の数量を把握する。【選択図】図１
2013010640.tif 000002
【特許請求の範囲】
【請求項１】
ケースと、前記ケース内にスライド可能に収容され、且つプリント用紙を収納する用紙収納箱と、を備える用紙残余量の指示機能を有するプリンタにおいて、
前記プリンタは、用紙量測定機構及び指示機構をさらに備え、
前記用紙量測定機構は、前記ケースに回転可能に連結され、且つその一端は前記用紙収納箱内に収納されたプリント用紙の上面に当接され、その他端は前記指示機構の一端に固定連結され、前記指示機構の他端は、前記用紙収納箱の外表面から露出され、
前記プリント用紙と当接された前記用紙量測定機構の一端が、前記プリント用紙の推進作用又は前記用紙量測定機構の前記一端の重力作用によって回転した際、前記用紙量測定機構は、前記指示機構の一端に固定連結された前記用紙量測定機構の他端を連動させて、前記用紙収納箱の外表面に露出された前記指示機構の他端を移動させて、前記用紙収納箱内のプリント用紙の大体の数量を把握することを特徴とする用紙残余量の指示機能を有するプリンタ。
【請求項２】
前記用紙量測定機構は、直軸部と、第一アーム部及び第二アーム部と、を備え、前記直軸部は、前記ケース内に回転可能に装着され、前記第一アーム部及び前記第二アーム部は、前記直軸部の両端に固定連結され、前記第一アーム部の自由端はプリント用紙の上面に当接され、
前記指示機構は、伝動軸部及び指示軸部を備え、
前記伝動軸部は、ヒンジを介して前記ケースに回転可能に連結され、前記伝動軸部の一端は、前記用紙量測定機構の前記第二アーム部の自由端に回転可能に連結され、前記伝動軸部の他端は、前記ケースに固定されている第一ガイド部材にスライド可能に連結され、且つ前記第一ガイド部材に沿って垂直方向にスライドし、
前記指示軸部は、前記第一ガイド部材に対して前記指示軸部の長手方向に沿ってスライド可能なように前記第一ガイド部材に設けられるとともに、前記第一ガイド部材によって、前記伝動軸部の他端に対応して設けられ、前記伝動軸部の他端と共に前記第一ガイド部材に沿って垂直方向にスライドし、
前記指示軸部の自由端は、前記用紙収納箱の外表面から露出されて、前記用紙収納箱内に収納されているプリント用紙の大体の数量を指示することを特徴とする請求項１に記載の用紙残余量の指示機能を有するプリンタ。
【請求項３】
前記用紙収納箱の前記外表面には、参考スケールが設置されていることを特徴とする請求項２に記載の用紙残余量の指示機能を有するプリンタ。
【請求項４】
前記プリンタは、弾性部材をさらに備え、前記弾性部材の一端は、前記第一アーム部の前記自由端に固定され、前記弾性部材の他端は、前記ケースに固定されることを特徴とする請求項２または３に記載の用紙残余量の指示機能を有するプリンタ。
【請求項５】
前記ケースの対向する２つの側壁には、半円状収容凹部がそれぞれ形成されており、前記直軸部の両端は、前記２つの半円状収容凹部に回転可能にそれぞれ収容されることを特徴とする請求項２から４のいずれか一項に記載の用紙残余量の指示機能を有するプリンタ。
【請求項６】
前記第一ガイド部材は、フレーム及び第一係合部を備え、
前記フレームは、前記ケースに固定され、且つ垂直方向に延伸した導向槽を備え、前記第一係合部は、その一部が前記フレームに収容され、且つ前記導向槽に沿って垂直方向にスライドし、前記第一係合部の対向する両側面には、収容孔及び係合鈎が形成され、前記伝動軸部の他端には、突起部が形成され、前記伝動軸部は、前記突起部が前記収容孔に挿設されることによって、前記第一係合部に固定連結され、前記指示軸部は、前記係合鈎によって囲んで規制され、該規制下において、前記指示軸部は前記第一ガイド部材に対して前記用紙収納箱の引き出す方向に沿って移動し、且つ前記フレームの導向槽に沿う前記第一係合部のスライドに従って、上下へスライドすることを特徴とする請求項２から５のいずれか一項に記載の用紙残余量の指示機能を有するプリンタ。
【請求項７】
前記プリンタは、前記用紙収納箱内に固定された第二ガイド部材をさらに備え、前記第二ガイド部材は、前記第一ガイド部材と前記用紙収納箱の前記外表面との間に位置し、
前記第二ガイド部材は、他のフレーム及び第二係合部を備え、前記他のフレームは、垂直方向に延伸された導向槽を備え、前記第二係合部は、前記他のフレームの導向槽に沿って垂直方向にスライドし、前記第二係合部の１つの側面には、係合鈎が形成され、前記指示軸部は、前記第二係合部の係合鈎によって囲んで規制され、該規制下において、前記指示軸部は前記第二ガイド部材に対して前記用紙収納箱の引き出す方向に沿って移動することを特徴とする請求項６に記載の用紙残余量の指示機能を有するプリンタ。
【請求項８】
ケースと、前記ケース内にスライド可能に収容され、且つプリント用紙を収納する用紙収納箱と、を備える用紙残余量の指示機能を有するプリンタにおいて、
前記プリンタは、前記用紙収納箱に回転可能に設置された１つの指示軸部材をさらに備え、
前記指示軸部材の一端は、前記プリント用紙に当接され、前記指示軸部材の他端は、前記用紙収納箱の外表面から露出されることを特徴とする用紙残余量の指示機能を有するプリンタ。
【発明の詳細な説明】
【技術分野】
【０００１】
本発明は、プリンタに関し、特に用紙残余量の指示機能を有するプリンタに関するものである。
【背景技術】
【０００２】
プリンタは、通常用紙収納箱を備える。しかし、用紙収納箱は、前記プリンタ内部に収容されているため、使用者は、用紙収納箱内の用紙残余量を直接的に確認することができない。これに対して、センサーを利用して用紙収納箱内に用紙が有るかどうかを測定するプリンタが開発された。しかし、該プリンタは、用紙収納箱内に用紙が有るかのみを測定するため、用紙残余量を把握することはできない。従って、用紙が残っていると示されていても用紙の残余量が少ないことがあるため、用紙収納箱内の用紙が全て使用されてしまう場合があり、その場合、プリンタの作業は一時停止して用紙を補充する必要があるので、作業効率が悪い。
【発明の概要】
【発明が解決しようとする課題】
【０００３】
以上の課題点に鑑みて、本発明は、用紙残余量の指示機能を有するプリンタを提供することを目的とする。
【課題を解決するための手段】
【０００４】
前記課題を解決するために、本発明に係る用紙残余量の指示機能を有しているプリンタは、ケースと、用紙収納箱と、用紙量測定機構及び指示機構と、を備える。前記用紙収納箱は、前記ケース内にスライド可能に収容され、且つプリント用紙を収納する。前記用紙量測定機構は、前記ケースに回転可能に連結され、且つその一端は前記用紙収納箱内に収納されたプリント用紙の上面に当接され、その他端は前記指示機構の一端に固定連結され、前記指示機構の他端は、前記用紙収納箱の外表面から露出され、前記プリント用紙と当接された前記用紙量測定機構の一端が、前記プリント用紙の推進作用又は前記用紙量測定機構の一端の重力作用によって回転した際、前記用紙量測定機構は、前記指示機構の一端に固定連結された前記用紙量測定機構の他端を連動させて、前記用紙収納箱の外表面に露出された前記指示機構の他端を移動させて、前記用紙収納箱内のプリント用紙の大体の数量を把握する。
【０００５】
また、前記課題を解決するために、本発明に係る用紙残余量の指示機能を有するプリンタは、ケースと、用紙収納箱及び１つの指示軸部材と、を備える。前記用紙収納箱は、前記ケース内にスライド可能に収容され、且つプリント用紙を収納する。前記指示軸部材の一端は前記プリント用紙に当接され、前記指示軸部材の他端は前記用紙収納箱の外表面から露出される。
【発明の効果】
【０００６】
本発明に係る用紙残余量の指示機能を有するプリンタは、用紙量測定機構の一端が回転した際、その回転によって、用紙量測定機構の他端及び指示機構が連動されて、用紙収納箱の外表面に露出された指示機構の他端の位置が変化する。従って、この位置の変化に基づいて、使用者は、プリンタの作業過程でも用紙残余量を測定することができる。
【図面の簡単な説明】
【０００７】
【図１】本発明に係るプリンタのケースが部分的に取り外された状態を示す斜視図である。
【図２】本発明に係るプリンタのケースが完全に取り外された状態を示す斜視図である。
【図３】図１に示したＩＩＩ部分の拡大図である。
【図４】図１に示したＩＶ部分の拡大図である。
【図５】図１に示したＶ部分の拡大図である。
【図６】本発明に係るプリンタの用紙収納箱内に大量の用紙を収納した際、該用紙収納箱が引き出された状態において、ケースが完全に取り外された状態を示す斜視図である。
【発明を実施するための形態】
【０００８】
以下、図面に基づいて、本発明に係る用紙残余量の指示機能を有するプリンタについて詳細に説明する。
【０００９】
図１を参照すると、本発明に係る用紙残余量の指示機能を有するプリンタ１００は、ケース１０及び該ケース１０内にスライド可能に収容される用紙収納箱２０を備える。前記用紙収納箱２０内にはプリント用紙が収納され、前記用紙収納箱２０内に収納された複数のプリント用紙は、前記ケース１０の底面に対して垂直方向に順次折り重なる。前記プリンタ１００は、用紙量測定機構３０及び指示機構４０をさらに備える。前記用紙量測定機構３０は、前記ケース１０に回転可能に連結され、且つその一端は前記用紙収納箱２０内に収納された複数のプリント用紙の上面に当接され、他端は前記指示機構４０の一端に固定連結される。前記指示機構４０の他端（即ち、自由端４０３）は、前記用紙収納箱２０の外表面２０１から露出する。前記用紙収納箱２０内に収納されたプリント用紙の量に変化があれば、前記プリント用紙と当接された前記用紙量測定機構３０の一端は、前記プリント用紙の推進作用（プリント用紙の量が多くなる際）又は自身の重力作用（プリント用紙の量が少なくなる際）によって前記用紙量測定機構３０の軸回りに回転する。また、該回転は、前記指示機構４０の一端に固定連結された前記用紙量測定機構３０の他端を連動させて、前記用紙収納箱２０の外表面２０１に露出する前記指示機構４０の自由端４０３を移動させる。従って、前記自由端４０３が前記用紙収納箱２０内のプリント用紙の量の変化に従って移動する（すなわち、自由端４０３がケース１０の上部または下部へ接近する）ので、前記自由端４０３の位置の変化に基づいて、前記用紙収納箱２０内のプリント用紙の大体の数量を把握することができる。
【００１０】
本発明のプリンタ１００の構造について、さらに具体的に説明する。図２を併せて参照すると、前記用紙量測定機構３０は、直軸部３０１、第一アーム部３０２及び第二アーム部３０３を備える。前記直軸部３０１は、前記ケース１０内に回転可能に装着され、前記第一アーム部３０２及び前記第二アーム部３０３は、前記直軸部３０１の両端にそれぞれ固定連結され、前記第一アーム部３０２の自由端はプリント用紙の上面に当接される。また、前記指示機構４０は伝動軸部４０１及び指示軸部４０２を備える。前記伝動軸部４０１はヒンジＰを介して、前記ケース１０に回転可能に連結される。また、前記伝動軸部４０１の一端は、前記用紙量測定機構３０の前記第二アーム部３０３の自由端に回転可能に連結され、前記伝動軸部４０１の他端は、前記ケース１０に固定されている第一ガイド部材５０にスライド可能に連結されており、前記第一ガイド部材５０に沿って垂直方向にスライドする。前記指示軸部４０２は、前記第一ガイド部材５０に対して水平方向にスライド可能に設けられている。前記伝動軸部４０１の他端は、前記指示軸部４０２と共に前記第一ガイド部材５０に沿って垂直方向にスライドするように、前記第一ガイド部材５０に設置されている。また、前記指示軸部４０２の自由端４０３は、前記用紙収納箱２０の外表面２０１から露出する。
【００１１】
前記用紙収納箱２０の底板と前記第一アーム部３０２の自由端との間のプリント用紙の量に変化があれば、前記第一アーム部３０２は、前記プリント用紙の推進作用又は自身の重力作用によって、前記直軸部３０１を軸心として時計回り又は反時計回りの方向へ回転し、且つ、該回転によって、前記伝動軸部４０１は前記ヒンジＰを回転軸として回転し、さらに、前記伝動軸部４０１のうち前記第一ガイド部材５０にスライド可能に連結された一端も連動されて、前記第一ガイド部材５０に沿って垂直方向にスライドし、且つ該第一ガイド部材５０の一端に対応して設けられた前記指示軸部４０２も前記第一ガイド部材５０に沿って垂直方向にスライドする。また、前記指示軸部４０２の自由端も垂直方向にスライドする。
【００１２】
例えば、前記用紙収納箱２０内に収納されているプリント用紙の一部が使用されれば、折り重なったプリント用紙の全体の高さは低くなるため、前記第一アーム部３０２の自由端も重力作用によって下降する。この時、前記直軸部３０１は回転し、且つ前記第二アーム部３０３を連動して回転させる。該回転により、前記伝動軸部４０１と前記第二アーム部３０３との連結端が上昇し、この上昇により、前記伝動軸部４０１の、前記第一ガイド部材５０にスライド可能に連結された一端が、前記第一ガイド部材５０に沿って下降する。これにより、プリント用紙が少なくなっていることを指示する。
【００１３】
本実施形態において、上述した指示機能をより顕著に表示できるように、前記用紙収納箱２０の外表面２０１に参考スケール２０１１を設置することができる。前記参考スケール２０１１は、前記用紙量測定機構３０、前記指示機構４０及び前記用紙収納箱２０の前記ケース１０内での位置及び作用関係、前記用紙収納箱２０内に収納されているプリント用紙一枚の厚さ、前記指示機構４０の自由端４０３の前記用紙収納箱２０での移動関係等に基づいて、設定することができ、且つ前記用紙収納箱２０内のプリント用紙の大体の数量を指示する。例えば、前記指示機構４０の自由端４０３が最下端に位置する際を０枚、前記指示機構４０の自由端４０３が中央部に位置する際を３００枚、前記指示機構４０の自由端４０３が最上端に位置する際を６００枚とすることができる。
【００１４】
図３に示したように、前記プリンタ１００は、弾性部材７０をさらに備える。前記弾性部材７０は、前記第一アーム部３０２が、自身の重力作用及びプリント用紙との当接作用下で安定的に回転することを確保する。前記弾性部材７０の一端は前記第一アーム部３０２の自由端に固定され、前記弾性部材７０の他端は前記ケース１０に固定される。また、前記ケース１０の対向する２つの側壁には、半円状収容凹部１０１がそれぞれ形成され、前記直軸部３０１の両端は、該２つの半円状収容凹部１０１に回転可能にそれぞれ収容される。
【００１５】
図４に示したように、本実施形態に係る前記第一ガイド部材５０は、フレーム５０１及び第一係合部５０２を備える。前記フレーム５０１は前記ケース１０に固定され、且つ垂直方向に延伸した導向槽（図示せず）を備える。前記第一係合部５０２の一部は、前記フレーム５０１に収容され、且つ前記導向槽に沿って垂直方向にスライドする。前記第一係合部５０２の対向する両側面には、収容孔５０２１及び係合鈎５０２２が形成されている。前記伝動軸部４０１の他端（段落［００１０］の記載と対応）には、突起部４０１１が形成されている。前記伝動軸部４０１は、前記突起部４０１１が前記収容孔５０２１に挿設されることによって、前記第一係合部５０２に固定連結される。前記指示軸部４０２は、前記係合鈎５０２２によって囲んで規制されている。この規制下において、前記指示軸部４０２は、前記第一ガイド部材５０に対して前記用紙収納箱２０の引き出す方向Ａに沿って移動することができ、また、前記フレーム５０１の導向槽に沿う前記第一係合部５０２のスライドに従って、上下へスライドすることができる。
【００１６】
図５に示したように、前記プリンタ１００は、前記用紙収納箱２０内に固定された第二ガイド部材６０をさらに備える。前記第二ガイド部材６０は、前記第一ガイド部材５０と前記用紙収納箱２０の外表面２０１との間に位置する。前記第二ガイド部材６０は、前記指示軸部４０２の垂直方向での指示安定性を確保し、且つ前記用紙収納箱２０を引き出した際に前記用紙収納箱２０と共に引き出される。また、前記第二ガイド部材６０は、フレーム５０１及び第二係合部６０１を備える。前記フレーム５０１は、垂直方向に延伸する導向槽を備え、前記第二係合部６０１は、該導向槽に沿って、垂直方向にスライドする。前記第二係合部６０１の１つの側面には、係合鈎５０２２が形成されている。前記指示軸部４０２は、該係合鈎５０２２によって囲んで規制されている。この規制下において、前記指示軸部４０２は、前記第二ガイド部材６０に対して前記用紙収納箱２０の引き出す方向Ａに沿って移動することができる。
【００１７】
図６は、本発明に係るプリンタ１００の用紙収納箱２０内に大量のプリント用紙が収納されている際、該用紙収納箱２０が引き出された状態において、前記ケース１０が完全に取り外された状態を示す斜視図である。前記用紙収納箱２０が前記ケース１０から引き出された際、前記指示軸部４０２は、前記第一ガイド部材５０の前記第一係合部５０２と前記第二ガイド部材６０の前記第二係合部６０１との協働作用によって、前記用紙収納箱２０と共に引き出される。
【００１８】
また、他の実施形態において、前記プリンタ１００は、１つの指示軸部材を本実施形態の前記用紙量測定機構３０及び前記指示機構４０に代替して設置することができる。即ち、前記１つの指示軸部材を前記用紙収納箱２０に回転可能に設置し、前記指示軸部材の一端をプリント用紙に当接させ、前記指示軸部材の他端を前記用紙収納箱２０の前記外表面２０１から露出させる。この時、前記用紙収納箱２０の前記外表面２０１には、前記参考スケール２０１１が設置される。
【００１９】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２０】
１００  プリンタ
１０  ケース
１０１  半円状収容凹部
２０  用紙収納箱
２０１  外表面
２０１１  参考スケール
３０  用紙量測定機構
３０１  直軸部
３０２  第一アーム部
３０３  第二アーム部
４０  指示機構
４０１  伝動軸部
４０１１  突起部
４０２  指示軸部
４０３  自由端
５０  第一ガイド部材
５０１  フレーム
５０２  第一係合部
５０２１  収容孔
５０２２  係合鈎
６０  第二ガイド部材
６０１  第二係合部
７０  弾性部材
Ａ  方向
Ｐ  ヒンジ
【図１】
2013010640.tif 000003
【図２】
2013010640.tif 000004
【図３】
2013010640.tif 000005
【図４】
2013010640.tif 000006
【図５】
2013010640.tif 000007
【図６】
2013010640.tif 000008